(57)【要約】      （修正有）【課題】ドレン水の逆流時に、逆止弁を密閉しないことで排水パイプ内のドレン水を徐々にドレンパンに逆流させ、排水パイプ内にドレン水が滞留しないようにする。【解決手段】ドレン水の逆流時には、ドレン水の逆流水圧により逆止弁２０の弁部２１は閉じるが、弁部２１に備えられた凸部２２が弁受部２５に当接することによって隙間２６が形成される。これにより、ドレンポンプへドレン水が瞬時に大量に逆流するのを防ぐことができるので、逆流時のドレンポンプへの水飛びや室内へのドレン水の漏れを防ぐことができると共に、排水パイプ１０に滞留しているドレン水も隙間２６から少量ずつ緩やかにドレンパン２へ逆流していくので、排水パイプ１０内にドレン水が長期間滞留せず、スライムの発生や、冬季にドレン水の凍結による排水パイプ１０の破損を防ぐことができる。【選択図】図２
2010164205.tif 000002
【特許請求の範囲】
【請求項１】
熱交換器で生成されたドレン水を受けるドレンパンと、同ドレンパンに溜まった前記ドレン水を汲み出すドレンポンプと、同ドレンポンプに接続され前記ドレン水を排水する排水パイプと、前記ドレン水の吐出水圧で開き同ドレン水の逆流水圧で閉じる逆流防止手段とからなるドレン装置を有する空気調和機において、
前記逆流防止手段は、前記ドレン水の逆流水圧で閉じる際に所定量の前記ドレン水を流す手段を備えたことを特徴とする空気調和機。
【請求項２】
前記逆流防止手段は、同逆流防止手段に備えられた弁受部と、前記ドレン水の吐出水圧で開くよう回動軸で前記弁受部に取付けられた弁部とを有し、前記弁部または前記弁受部のどちらか一方に凸部あるいは切欠部を備えたことを特徴とする請求項１記載の空気調和機。
【請求項３】
前記逆流防止手段は、前記ドレンポンプの吐出口に一体形成されていることを特徴とする請求項１または請求項２のいずれかに記載の空気調和機。
【発明の詳細な説明】
【技術分野】
【０００１】
本発明は、逆止弁を備えたドレン装置を有する空気調和機に係わり、より詳細には、ドレン装置の停止時にドレン水が排水パイプに滞留するのを防ぐドレン装置を有する空気調和機に関する。
【背景技術】
【０００２】
従来、空気調和機には室内機の熱交換器の表面で生成されるドレン水を屋外へ排水するためにドレン装置が備えられている。このドレン装置は、熱交換器下に配置され熱交換器で生成されたドレン水の受け皿となるドレンパンと、ドレンパンに溜まったドレン水を汲込口から汲み取って吐出口より排水するドレンポンプと、ドレンポンプの吐出口に接続されドレン水を屋外へ排水するための排水パイプとから構成されている。
【０００３】
空気調和機が冷房運転もしくは除湿運転を開始すると、室内機の熱交換器で生成されたドレン水がドレンパンに滴下して溜まる。空気調和機と連動して作動するドレンポンプは、溜まったドレン水を汲込口から汲みだし、吐出口から排水パイプを介して屋外に排水する。
【０００４】
このようなドレン装置では、通常排水パイプは垂直に敷設されていることが多く、空気調和機が停止してドレン装置が停止すると、排水パイプに汲み上げられているドレン水が自重で落下逆流してドレンパンへ勢いよく戻ってしまう。これによってドレンパンからドレンポンプへ水飛びが発生し、ドレンポンプのモータ軸や電気接続部、金属部分に水がかかり電気回路のショートや錆の発生といった不具合が発生する恐れがあった。また、場合によっては勢いよく逆流したドレン水がドレンパンを越えて室内機内部に漏れ出し、室内機から室内へ水漏れを起こす恐れがあった。
【０００５】
以上のような問題を解決するため、ドレンポンプの吐出口と排水パイプとの間に逆流防止手段である逆止弁を設けてドレン水の逆流を防ぐことが提案されている（例えば特許文献１）。このドレン装置１０１は、空気調和機の室内機に備えられており、図５（Ａ）に示すように、熱交換器で生成されたドレン水１０８の受け皿であるドレンパン１０２と、汲込口１０４と吐出口１０５とを有するドレンポンプ１０３と、一端を吐出口１０５に接続され他端を室内機に備えられた排水口１０６に接続される排水パイプ１０７と、排水パイプ１０７の中間に配置された逆止弁１１０とから構成されている。
【０００６】
逆止弁１１０は樹脂材等により形成され、吐出口１０５から排水口１０６の間における逆流水量を少量にするために、排水パイプ１０７のできるだけ吐出口１０５に近い位置に設けられている。この逆止弁１１０は、図５（Ｂ）の斜視図に示すように、上端部を排水パイプ１０７の内部に、下端部を排水パイプ１０７の外部にそれぞれ嵌合する筒体形状であり、内部を上下に仕切るように設けた弁座１１４と、弁座１１４の上面に回転軸１１１を軸として水圧で開閉するように設けた弁部１１２と、弁部１１２の全開位置が垂直よりやや下がった位置となるようにするストッパ１１３とから構成されている。
【０００７】
次にドレン装置１０１の動作について説明する。室内機と連動してドレンポンプ１０３が運転を開始すると、このドレンポンプ１０３で汲込口１０４より汲み出され、吐出口１０５から排水パイプ１０７を介して排水口１０６へ送られるドレン水１０８の吐出水圧によって、逆止弁１１０の弁部１１２がストッパ１１３で規制されるまで押し開かれ、ドレン水１０８が排水パイプ１０７を通じて排水口１０６へ排水される。
【０００８】
一方、室内機と連動してドレンポンプ１０３が停止すると、排水パイプ１０７内のドレン水１０８が自重により落下逆流して、その水圧と自重で開いている弁部１１２を押し下げ、弁座１１４に当接させて閉塞状態となる。この結果、ドレン水１０８の逆流が止まり、ドレンパン１０２には逆止弁１１０より下の排水パイプ１０７内にある少量のドレン水１０８しか逆流しないため、水飛びによりドレンポンプ１０３に水がかかって不具合が発生することや、室内機から室内への水漏れといったことを防ぐことができる。
【０００９】
しかし、以上説明したドレン装置１０１では、逆止弁１１０によって逆止弁１１０より上部の排水パイプ１０７内にはドレン水１０８が滞留することとなる。この状態で長期間空気調和機の運転が行われないと、ドレン水１０８中に含まれている雑菌が繁殖して粘液状のスライムが発生し排水パイプ１０７を詰まらせて水漏れが生じたり、堆積物の腐敗により異臭が発生したりする等の問題があった。
【００１０】
また、冬季に気温が氷点下となって、排水パイプ１０７に溜まったドレン水１０８が凍結した場合、凍結によるドレン水１０８の体積膨張によって排水パイプ１０７に負荷がかかり、排水パイプ１０７が変形、ひび割れもしくは破損といったダメージを受ける恐れがあった。
【先行技術文献】
【特許文献】
【００１１】
【特許文献１】特開平９−２８０５９３号公報（第３頁、第１図、第２図）
【発明の概要】
【発明が解決しようとする課題】
【００１２】
本発明は以上述べた問題点を解決し、ドレン装置に設けられた逆止弁によって排水パイプが完全に閉塞されないようにすることで、ドレン水を徐々にドレンパンに逆流させて排水パイプ内にドレン水が滞留することを防ぐと共に、逆流水による水飛びや水漏れを防ぐことを目的とする。
【課題を解決するための手段】
【００１３】
本発明は上述の課題を解決するため、請求項１に関する発明は、熱交換器で生成されたドレン水を受けるドレンパンと、同ドレンパンに溜まった前記ドレン水を汲み出すドレンポンプと、同ドレンポンプに接続され前記ドレン水を排水する排水パイプと、前記ドレン水の吐出水圧で開き同ドレン水の逆流水圧で閉じる逆流防止手段とからなるドレン装置を有する空気調和機において、前記逆流防止手段は、前記ドレン水の逆流水圧で閉じる際に所定量の前記ドレン水を流す手段を備えたことを特徴としている。
【００１４】
また、請求項２に関する発明は、前記逆流防止手段は、同逆流防止手段に備えられた弁受部と、前記ドレン水の吐出水圧で開くよう前記弁受部に取付けられた弁部とを有し、前記弁部または前記弁受部のどちらか一方に凸部あるいは切欠部を備えたことを特徴としている。
【００１５】
また、請求項３に関する発明は、前記逆流防止手段は、前記ドレンポンプの吐出口に一体形成されていることを特徴としている。
【発明の効果】
【００１６】
請求項１および請求項２に係わる発明は、空気調和機で冷房運転あるいは除湿運転を行った場合に室内機の熱交換器で生成されるドレン水を排水するドレン装置において、ドレン水の流水圧で開閉する弁部と、弁部が取り付けられる弁受部とを有する逆流防止手段が備えられている。弁部または弁受部には、
所定の場所に凸部もしくは切欠部を設けられており、排水パイプからのドレン水の逆流水圧によって弁部が閉じられた際、凸部もしくは切欠部により形成された隙間から少量のドレン水が徐々に流れ出るようになっている。
【００１７】
排水パイプ内に汲み上げられているドレン水は、逆流防止手段に形成された隙間から緩やかにドレンパンに逆流していくので、勢いよく逆流したドレン水による水飛びによりドレンポンプのモータ軸や電気接続部、金属部分に水がかかることによる電気回路のショートや錆の発生といった不具合の発生や、逆流したドレン水が室内機から室内へ漏れることを防ぐことができる。また、排水パイプ内にドレン水が滞留しないので、排水パイプ内でのスライムの発生や冬季のドレン水凍結による排水パイプへのダメージを防ぐことができる。
【００１８】
また、請求項３に係わる発明は、逆流防止手段がドレンポンプの吐出口に一体形成されている。逆流防止手段を排水パイプの途中に設置する場合は、逆流防止手段と２種類の排水パイプが必要となり部品点数が増えコストがかかると共に接続作業が煩雑なものとなる。また、逆流防止手段の一端をドレンポンプの吐出口に、他端を排水パイプに接続する場合でも、接続が２箇所となり作業性はよいとは言えない。逆流防止手段がドレンポンプの吐出口に一体形成されていれば、排水パイプを吐出口に接続するだけで接続作業が完了するので、部品点数と作業工数を削減することができ、空気調和機のコストを抑えることができる。
【図面の簡単な説明】
【００１９】
【図１】本発明の実施例であるドレン装置の説明図であり、（Ａ）はドレン装置外略図、（Ｂ）は（Ａ）におけるａ部拡大要部断面図、（Ｃ）は（Ｂ）における矢視ｂ図である。
【図２】本発明の実施例における逆止弁の動作説明図であり、（Ａ）はドレン水排水時の動作を示す図、（Ｂ）はドレン水逆流時の動作を示す図、（Ｃ）は（Ｂ）におけるｃ部拡大図である。
【図３】本発明の他の実施例における逆止弁の要部断面図である
【図４】本発明の他の実施例における逆止弁の説明図であり、（Ａ）は要部断面図、（Ｂ）は （Ａ）における矢視ｄ図である。
【図５】従来のドレン装置を示す図であり、（Ａ）はドレン装置外略図、（Ｂ）は（Ａ）におけるｅ部拡大斜視図である。
【発明を実施するための形態】
【００２０】
以下、本発明の実施の形態を、添付図面に基づいて詳細に説明する。尚、実施例としては、空気調和機の室内機に、本発明による逆止弁を備えたドレン装置が備えられている場合を例として説明することとする。
【実施例１】
【００２１】
図１は、本発明に係るドレン装置の説明図であり、（Ａ）はドレン装置の概略図、（Ｂ）は（Ａ）におけるａ部拡大断面図、（Ｃ）は（Ｂ）における後述する弁部２１の矢視ｂ図である。このドレン装置１は、ドレンパン２と、ドレンポンプ３と、排水パイプ１０とから構成されている。
【００２２】
ドレンパン２は、図示しない熱交換器の下に配置されており、空気調和機の室内機で冷房運転や除湿運転を行った際に、熱交換器で発生するドレン水１１を溜めておくものである。このドレンパン２は、断面形状が略コ字状の受け皿形状となっており、樹脂材や金属材料により形成されている。尚、ドレンパン２を形成する材料としては、溜まったドレン水での雑菌の繁殖を防ぐために、例えば、銅あるいは銅合金といった銅系材料を使用してドレン水１１中に銅イオンを析出させて滅菌するようなものや、抗菌性を有する樹脂材あるいは抗菌剤を添加した樹脂材で形成したものであってもよい。
【００２３】
ドレンポンプ３は、ドレン水１１を汲み取るための汲込口４と汲み取ったドレン水１１を排水するための吐出口５とを備えた樹脂材からなるケース６と、ケース６中に図示しない羽根を備えており、羽根はモータ部１２に備えられている軸７に取り付けられている。吐出口５には逆止弁２０が一体形成されており、その先端には排水パイプ１０の一端が接続されている。排水パイプ１０の他端は、図示しない室内機の排水口を介して建物に設けられている外部への排水管に接続されている。
【００２４】
また、ドレンポンプ３は、リード線９を介して室内機の制御基板に接続されており、制御基板からの指示に従って稼働するようになっている。軸７には、略円形で樹脂材からなる水切り板８がモータ部１２とケース６との間に位置するよう取り付けられており、ドレンポンプ３の稼働時に排水されるドレン水１１の水飛びによってモータ部１２内や金属部分へ水がかからないようにされている。
【００２５】
逆流防止手段である逆止弁２０は、図１（Ｂ）および（Ｃ）に示すように、略円盤形状で樹脂材等からなる弁部２１と、弁部２１を逆止弁２０の壁面に開閉自在に取り付けるための回転軸２３と、弁部２１の全開位置が水平よりやや下がった位置つまりは弁部２１が閉じた状態に対して鋭角（９０°未満）となるよう凸状の規制片等からなるストッパ２４と、弁部２１の回転軸２３と反対側の一端に配置された凸部２２と、逆止弁２０に備えられ凸部２２が当接する弁受部２５とから構成されている。
【００２６】
弁部２１は、吐出口５から排水されるドレン水１１の吐出水圧によってストッパ２４で規制されるまで押し開かれ、排水パイプ１０からのドレン水１１の逆流水圧によって閉じられるよう動作する。弁部２１が閉じた際は、凸部２２が弁受部２５に当接することによって隙間２６が形成されるので、逆止弁２０は完全に閉塞されない。
【００２７】
次に図１および図２を用いて、本実施例におけるドレン装置１の稼働時（ドレン水１１の排水時）およびドレン装置１の停止時（ドレン水１１の逆流時）での逆止弁２０の動作について説明する。図２は逆止弁２０の動作説明図であり、（Ａ）はドレン水１１排水時の逆止弁２０の動きを、（Ｂ）はドレン水１１逆流時の逆止弁２０の動きを、（Ｃ）は（Ｂ）におけるｃ部拡大図をそれぞれ示している。
【００２８】
空気調和機の電源がオンされて冷房運転もしくは除湿運転が開始されると、室内機は室内の空気を吸入し、吸入された空気は熱交換器を通過しながら熱交換を施されて吹出口から室内に供給される。この過程において、熱交換器には吸入された空気中に含まれる湿気が熱交換器表面で凝縮されてドレン水１１が発生する。発生したドレン水１１は熱交換器に沿ってドレンパン２に流れ落ちて滞留する。
【００２９】
この時、ドレンポンプ３は、ドレンパン２に設けられた図示しないフロートスイッチ等の水位検知手段からの情報に基づいて室内機の制御部により動作が制御される。ドレンパン２に溜まったドレン水１１の水位が予め定められた所定の水位を越えた場合は、ドレンポンプ３のモータ部１２にリード線９を介して室内機から電源が供給されて、ドレンポンプ３が稼働する。
【００３０】
ドレンポンプ３が稼働すると、ドレンパン２に溜まったドレン水１１は、汲込口４から汲み取られて吐出口５を介して逆止弁２０へ流れ込む。そして、逆止弁２０に流れ込んだドレン水１１は、図２（Ａ）に示すようにその吐出水圧によって弁部２１を押し開き、弁部２１は破線で示す閉じた状態から実線で示す開いた状態となってドレン水１１が排水パイプ１０へ流れ、室内機の排水口から建物の排水管を介して外部へ排水される。
【００３１】
このようにしてドレン水１１の排水が進むと、ドレンパン２でのドレン水１１の水位が下がり、所定の水位以下となった時にドレンポンプ３は室内機によって停止される。この時、排水パイプ１０の垂直部に滞留しているドレン水１１が自重により落下し図２（Ｂ）に示すように排水パイプ１０から逆止弁２０へ向かって逆流する。
【００３２】
弁部２１はこの時開いた状態（図２（Ｂ）の破線で示す状態）となっているが、ストッパ２４の働きによって水平よりやや下がった位置となっている。従って、弁部２１は逆流するドレン水１１の逆流水圧によって図２（Ｂ）の実線で示すように閉じられた状態となる。これにより、ドレンポンプ３が停止した際に、排水パイプ１０に溜まったドレン水１１がドレンポンプ３へ瞬時に大量に逆流することを防ぐことができ、ドレンポンプ３への水飛びや室内へのドレン水１１の漏れを防ぐことができる。
【００３３】
一方、弁部２１が閉まることによって排水パイプ１０内には汲み上げられたドレン水１１が一時的に滞留することとなるが、逆止弁２０は完全に閉塞されるのではなく、図２（Ｃ）に示すように弁部２１に設けた凸部２２が弁受部２５に当接することによって隙間２６が形成されるため、排水パイプ１０に滞留しているドレン水１１は、この隙間２６から少量ずつ緩やかにドレンパン２へ逆流していく。従って、空気調和機が長期に渡って運転がされない場合でも排水パイプ１０内にドレン水１１が滞留しないので、排水パイプ内でのスライムの発生や冬季のドレン水凍結による排水パイプへのダメージを防ぐことができる。
【００３４】
以上説明した実施例では、弁部２１に凸部２２を設けてドレン水１１が流れる隙間２６を形成する場合について説明したが、凸部が弁受部２５に設けられていてもよい。また、弁部２１もしくは弁受部２５のいずれか一方あるいは両者に切欠部や孔を設けてドレン水１１が流れるようにしてもよい。
尚、弁部２１もしくは弁受部２５に凸部を設ける場合や、弁受部２５に切欠部を設けてドレン水１１を流す場合は、吐出水圧や逆流水圧を弁部２１が充分に受けることができるため、速やかかつ確実な弁部２１の開閉動作を行うことができる。
【実施例２】
【００３５】
図３は本発明の他の実施例に係るドレン装置に備えられた逆止弁の説明図である。尚、以下の説明では、ドレン装置の構成については実施例１で説明した図１（Ａ）記載のものと同様であるため詳細な説明を省略する。実施例１と異なるのは、ドレンポンプ３の吐出口５に一体形成されている逆止弁の構造である。
【００３６】
この逆止弁３０には、略球形で樹脂材等からなり、略中央部に貫通孔３２を備えたボール弁３１と、ボール弁３１を保持しその動きを付勢力により規制するバネ３３と、逆止弁３０の筐体の一部を成しボール弁３１の弁受部となる弁座３４とから構成されている。
【００３７】
次に図１および図３を用いて、本実施例におけるドレン水１１の排水時および逆流時の逆止弁３０の動作について説明する。尚、空調運転時および運転停止時のドレン装置１の動作やドレン水１１の流れについては、実施例１と同様であるため詳細な説明を省略し、逆止弁３０の動作より説明を始めることとする。
【００３８】
通常、逆止弁３０は図３に示すように、バネ３３の付勢力によって弁座３４に押し付けられた状態となっている。ドレンポンプ３が室内機と連動して稼働し、汲込口４から汲み取られたドレン水１１が吐出口５を介して逆止弁３０に流れ込む。ドレン水１１の吐出水圧を受けたボール弁３１はバネ３３の付勢力に逆らって排水パイプ１０の方向へ移動し、弁座３４から離れる（図３に示すボール弁３１の動作方向「開」の状態となる）。これにより、ドレン水１１は吐出口５から逆止弁３０を経て排水パイプ１０へと流れ、屋外に排水される。
【００３９】
一方、ドレンポンプ３が停止すると、排水パイプ１０に汲み上げられているドレン水１１が逆流して逆止弁３０に流れ込む。この時、ボール弁３１は逆流するドレン水１１の逆流水圧とバネ３３の付勢力とで吐出口５の方向へ移動し弁座３４に押し付けられた状態となる（図３に示すボール弁３１の動作方向「閉」の状態となる）。これにより、ドレンポンプ３が停止した際に、排水パイプ１０に溜まったドレン水１１がドレンポンプ３へ瞬時に大量に逆流することを防ぐことができ、ドレンポンプ３への水飛びや室内へのドレン水１１の漏れを防ぐことができる。
【００４０】
また、ボール弁３１が閉まることによって排水パイプ１０内には汲み上げられたドレン水１１が一時的に滞留することとなるが、逆止弁３０は完全に密閉されるのではなく、図３に示すようにボール弁３１に備えられた貫通孔３２から少量ずつ緩やかにドレンパン２へ逆流していく。従って、空気調和機が長期に渡って運転がされない場合でも排水パイプ１０内にドレン水１１が滞留しないので、排水パイプ内でのスライムの発生や冬季のドレン水凍結による排水パイプへのダメージを防ぐことができる。
【００４１】
また、この逆止弁３０は、実施例１で説明した逆止弁２０に比べて構造が単純である。すなわち、ドレン水１１の流水圧力で動くボール弁３１と、ボール弁３１の動きを付勢力で規制するバネ３３とから構成されているため、故障に強くかつ低コストで設置することができる。
尚、以上説明した実施例では、ボール弁３１は略球形である場合について説明したが、これに限るものでなく、例えば、ラグビーボールのような断面楕円形状や長円形状のもの、あるいは半球形状のものや円板形状のものであってもよい。また、ボール弁３１に備えられている貫通孔３２が１つ設けられている場合について説明したが、複数の貫通孔があってもよく、弁座３４に切欠きを設けてそこからドレン水１１を逆流させてもよい。
【実施例３】
【００４２】
図４は本発明の他の実施例に係るドレン装置に備えられた逆止弁の説明図であり、（Ａ）は逆止弁の要部断面図、（Ｂ）は（Ａ）における矢視ｄ図である。尚、以下の説明では、ドレン装置の構成については実施例１で説明した図１（Ａ）記載のものと同様であるため詳細な説明を省略する。実施例１と異なるのは、ドレンポンプ３の吐出口５に一体形成されている逆止弁の構造である。
【００４３】
この逆止弁４０は、軟質ゴム材からなり、排水パイプ１０に向かって円錐状に形成された弁部４１を有しており、弁部４１は、弁部４１から連続的に形成される装着部４２が逆止弁４０の弁受部４５に当接して固定されている。また、弁部４１の円錐状先端部分には凸部４３が設けられており、図４（Ｂ）に示すように、凸部４３が隣接する弁部４１に当接することによって十字状にスリット４４が形成されている。
【００４４】
次に図１および図４を用いて、本実施例におけるドレン水１１の排水時および逆流時の逆止弁４０の動作について説明する。尚、空調運転時および運転停止時のドレン装置１の動作やドレン水１１の流れについては、実施例１と同様であるため詳細な説明を省略し、逆止弁４０の動作より説明を始めることとする。
【００４５】
通常、逆止弁４０は図４（Ａ）に示すように、弁部４１の弾性力によって凸部４３が隣接する弁部４１に当接して閉じた状態となっている。ドレンポンプ３が室内機と連動して稼働し、汲込口４から汲み取られたドレン水１１が吐出口５を介して逆止弁４０に流れ込むと、弁部４１はドレン水１１の吐出水圧を受けて押し広げられるように開く。これにより、ドレン水１１は吐出口５から逆止弁４０を経て排水パイプ１０へと流れ、屋外に排水される。
【００４６】
一方、ドレンポンプ３が停止すると、排水パイプ１０に汲み上げられているドレン水１１が逆流して逆止弁４０に流れ込む。弁部４１は、排水パイプ１０に向かって凸の円錐形状となっているため、ドレン水１１の逆流水圧によって閉じる。これにより、ドレンポンプ３が停止した際に、排水パイプ１０に溜まったドレン水１１がドレンポンプ３へ瞬時に大量に逆流することを防ぐことができ、ドレンポンプ３への水飛びや室内へのドレン水１１の漏れを防ぐことができる。
【００４７】
また、逆止弁４０が閉まることによって排水パイプ１０内には汲み上げられたドレン水１１が一時的に滞留することとなるが、逆止弁４０は完全に閉塞されるのではなく、図４に示すように弁部４１に形成されるスリット４４から少量ずつ緩やかにドレンパン２へ逆流していく。従って、空気調和機が長期に渡って運転がされない場合でも排水パイプ１０内にドレン水１１が滞留しないので、排水パイプ内でのスライムの発生や冬季のドレン水凍結による排水パイプへのダメージを防ぐことができる。
【００４８】
また、この逆止弁４０は、弁部４１が軟質ゴム材で形成されているので、弁部４１の開閉時に弁部４１同士の当たり音や弁部４１と逆止弁４０の筐体との当たり音が発生せず、ドレン装置１の稼働時の騒音の発生を防ぎ静粛な空気調和機を提供することができる。
尚、本実施例では弁部４１の材質として軟質ゴム材を例に挙げて説明したが、これに限るものでなく、軟質エラストマ材等当たり音の発生しない材質を使用すれば同様の効果が得られる。また、弁部４１の形状は円錐形である場合について説明したが、これに限るものでなく、排水パイプ１０に向かって凸でかつ先細りの形状であればよく、スリットも図４（Ｂ）に示すような十字状の形状に限定されるものではない。
【００４９】
以上説明したとおり、本発明によれば、空気調和機で冷房運転あるいは除湿運転を行った場合に室内機の熱交換器で生成されるドレン水を排水するドレン装置において、ドレン水の流水圧で開閉する弁部と、弁部が取り付けられる弁受部とを有する逆流防止手段が備えられている。弁部または弁受部には、
所定の場所に凸部もしくは切欠部を設けられており、排水パイプからのドレン水の逆流水圧によって弁部が閉じられた際、凸部もしくは切欠部により形成された隙間から少量のドレン水が徐々に流れ出るようになっている。
【００５０】
排水パイプ内に汲み上げられているドレン水は、逆流防止手段に形成された隙間から緩やかにドレンパンに逆流していくので、勢いよく逆流したドレン水による水飛びによりドレンポンプのモータ軸や電気接続部、金属部分に水がかかることによる電気回路のショートや錆の発生といった不具合の発生や、逆流したドレン水が室内機から室内へ漏れることを防ぐことができる。また、排水パイプ内にドレン水が滞留しないので、排水パイプ内でのスライムの発生や冬季のドレン水凍結による排水パイプへのダメージを防ぐことができる。
【００５１】
また、逆流防止手段がドレンポンプの吐出口に一体形成されている。逆流防止手段を排水パイプの途中に設置する場合は、逆流防止手段と２種類の排水パイプが必要となり部品点数が増えコストがかかると共に接続作業が煩雑なものとなる。また、逆流防止手段の一端をドレンポンプの吐出口に、他端を排水パイプに接続する場合でも、接続が２箇所となり作業性はよいとは言えない。逆流防止手段がドレンポンプの吐出口に一体形成されていれば、排水パイプを吐出口に接続するだけで接続作業が完了するので、部品点数と作業工数を削減することができ、空気調和機のコストを抑えることができる。
【００５２】
尚、以上説明した実施例では、ドレンポンプの吐出口に逆流防止手段を一体形成した場合について説明したが、これに限るものでなく、吐出口と排水パイプの間に配置して吐出口と排水パイプの中継部材のようにしてもよく、排水パイプ間に挿入して配置してもよい。但し、排水パイプ間に配置する場合は、ドレン水逆流時の水量を少しでも減らせるよう、なるべく吐出口近傍に逆流防止手段を配置することが望ましい。
【符号の説明】
【００５３】
１  ドレン装置
２  ドレンパン
３  ドレンポンプ
４  汲込口
５  吐出口
１０  排水パイプ
２０  逆止弁
２１  弁部
２２  凸部
２３  回転軸
２４  ストッパ
２５  弁受部
２６  隙間
３０  逆止弁
３１  ボール弁
３２  貫通孔
３３  バネ
３４  弁座
４０  逆止弁
４１  弁部
４３  凸部
４４  スリット
４５  弁受部
【図１】
2010164205.tif 000003
【図２】
2010164205.tif 000004
【図３】
2010164205.tif 000005
【図４】
2010164205.tif 000006
【図５】
2010164205.tif 000007